(57)【要約】  複数のピクセルを有する焦点面アレイからの読み出し用の回路は、各１ピクセルに対して、該１ピクセル用の検出器に結合された適応光検出器負荷回路（１５）と、上記検出器がＡＣ結合されたトランスインピーダンス増幅器（３５）と、トランスインピーダンス増幅器のＡＣ結合出力を受信し、該ＡＣ結合出力を所定の閾値と比較する比較器コンポーネントと、並列接続された複数の電荷蓄積コンポーネントを含むサンプルホールドリングであり、各１つの電荷蓄積コンポーネントが、イネーブリング三点スイッチングコンポーネント（６２）と直列にキャパシタ（６０）を含む、サンプルホールドリングと、比較器コンポーネントの出力を受け取るパルス検出ロジック回路とを含む。
2019504586.tif 000002
【特許請求の範囲】
【請求項１】
焦点面アレイ用の読み出し回路であって、前記焦点面アレイは複数のピクセルを有し、当該読み出し回路は、
前記焦点面アレイ内の各１ピクセルに対し、
該１ピクセル用の検出器に結合された適応光検出器負荷回路であり、当該適応光検出器負荷回路は、三点スイッチングコンポーネントと並列に周波数依存回路を有し、前記三点スイッチングコンポーネントの第３の点が、前記周波数依存回路の中間点に接続され、前記中間点からグランドへの電圧が、前記三点スイッチングコンポーネントのスイッチング電圧を提供する、適応光検出器負荷回路と、
トランスインピーダンス増幅器であり、当該トランスインピーダンス増幅器に前記検出器がＡＣ結合される、トランスインピーダンス増幅器と、
前記トランスインピーダンス増幅器のＡＣ結合出力を受信し、該ＡＣ結合出力を所定の閾値と比較する比較器コンポーネントと、
並列接続された複数の電荷蓄積コンポーネントを含むサンプルホールドリングであり、各１つの電荷蓄積コンポーネントが、イネーブリング三点スイッチングコンポーネントと直列にキャパシタを含み、前記イネーブリング三点スイッチングコンポーネントの第３の点が、リングイネーブル信号を受信し、所定の電荷蓄積コンポーネントが、バッファ増幅器を介して前記トランスインピーダンス増幅器の前記ＡＣ結合出力に接続され、前記イネーブリング三点スイッチングコンポーネントは、前記バッファ増幅器の出力と前記キャパシタとの間に接続され、前記キャパシタは、読み出しバッファ増幅器及び読み出し三点スイッチングコンポーネントによって出力データラインに接続され、前記読み出し三点スイッチングコンポーネントの第３の点が、読み出しイネーブリング信号を受け取る、サンプルホールドリングと、
前記比較器コンポーネントの出力を受け取るパルス検出ロジック回路であり、当該パルス検出ロジック回路は、前記ＡＣ結合出力が前記所定の閾値以下であるときに、前記リングイネーブル信号を前記所定の電荷蓄積コンポーネントに提供するように構成され、且つ、前記ＡＣ結合出力が前記所定の閾値よりも大きいときに、所定時間だけ遅延させ、該所定時間の遅延後に、前記所定の電荷蓄積コンポーネントに提供される前記リングイネーブル信号をディセーブルするように構成される、パルス検出ロジック回路と、
を有し、
前記リングイネーブル信号がディセーブルされた後に、読み出しイネーブリング信号が提供され、各所定の電荷蓄積コンポーネントの前記キャパシタ内の電荷が、前記出力データラインに多重化出力され、別の所定時間の後、前記各所定の電荷蓄積コンポーネントの前記キャパシタに蓄積された前記電荷を多重化出力した後に、前記リングイネーブル信号がリングイネーブルにリセットされる、
読み出し回路。
【請求項２】
当該読み出し回路は更に、前記各１ピクセルに対し、前記各１ピクセルにおけるパルスの到着時間を提供するグローバルカウンタタイムベースコードを記録するように構成された到着時間記録コンポーネントを有し、該到着時間記録コンポーネントに記録された前記グローバルカウンタタイムベースコードは、前記所定の電荷蓄積コンポーネントの前記キャパシタ内の前記電荷が多重化出力されるときに読み出され、前記所定の電荷蓄積コンポーネントの前記キャパシタに蓄積された前記電荷を多重化出力した後に、グローバルタイムベースカウンタがリセットされる、請求項１に記載の読み出し回路。
【請求項３】
前記各１ピクセル用の前記検出器は、１．０６μｍ又は約１．５μｍのうちの少なくとも一方の放射線に応答する、請求項１に記載の読み出し回路。
【請求項４】
前記周波数依存回路は、負荷キャパシタと直列に抵抗を有し、該抵抗は、前記検出器の出力に接続され、前記キャパシタは、前記抵抗とグランドとに接続され、前記三点スイッチングコンポーネントの前記第３の点は、前記抵抗と前記負荷キャパシタとの間の接続点に接続され、前記抵抗及び前記負荷キャパシタは、前記検出器に入射する電磁放射線の低周波変動の影響を抑圧するために選択されている、請求項１に記載の読み出し回路。
【請求項５】
前記トランスインピーダンス増幅器の帰還素子が、電流−電圧変換抵抗である、請求項１に記載の読み出し回路。
【請求項６】
前記トランスインピーダンス増幅器の帰還素子が、ダイオード又はトランジスタのうちの一方である、請求項１に記載の読み出し回路。
【請求項７】
前記比較器コンポーネントはまた、前記１ピクセルに関する閾値オフセット調整を受け取る、請求項１に記載の読み出し回路。
【請求項８】
前記三点スイッチングコンポーネントは電界効果トランジスタを有する、請求項１に記載の読み出し回路。
【請求項９】
前記イネーブリング三点スイッチングコンポーネント及び前記読み出し三点スイッチングコンポーネントの各々が、電界効果トランジスタを有する、請求項１に記載の読み出し回路。
【請求項１０】
焦点面アレイを読み出す方法であって、前記焦点面アレイは複数のピクセルを有し、当該方法は、前記焦点面アレイ内の各１ピクセルに対し、
該１ピクセル用の検出器に適応光検出器負荷回路を結合し、該適応光検出器負荷回路は、前記検出器に入射する低周波変動の影響を抑圧するように構成され、
前記検出器にトランスインピーダンス増幅器をＡＣ結合し、
前記トランスインピーダンス増幅器のＡＣ結合出力を、バッファ増幅器を介して、サンプルホールドリング内の所定のキャパシタに提供し、該所定のキャパシタへの接続がイネーブルされ、
前記トランスインピーダンス増幅器の前記ＡＣ結合出力を所定の閾値と比較し、
前記トランスインピーダンス増幅器の前記ＡＣ結合出力が前記所定の閾値よりも大きいときに、所定時間の遅延後に、前記所定のキャパシタへの接続をディセーブルし、
読み出しイネーブリング信号の受信を受けて、前記所定のキャパシタ内の電荷を出力データに多重化出力する、
ことを有する、方法。
【請求項１１】
前記各１ピクセルに対し、前記各１ピクセルにおけるパルスの到着時間を記録し、該到着時間は、グローバルタイムベースカウンタからのコードから取得され、
前記所定のキャパシタ内の前記電荷が多重化出力された後に、前記グローバルタイムベースカウンタをリセットする、
ことを更に有する請求項１０に記載の方法。
【請求項１２】
前記１ピクセルに関する閾値オフセット調整によって前記所定の閾値を調整する、ことを更に有する請求項１０に記載の方法。
【請求項１３】
前記各１ピクセル用の前記検出器は、１．０６μｍ又は約１．５μｍのうちの少なくとも一方の放射線に応答する、請求項１０に記載の方法。
【請求項１４】
前記適応光検出器負荷回路は、三点スイッチングコンポーネントと並列に周波数依存回路を有し、前記三点スイッチングコンポーネントの第３の点が、前記周波数依存回路の中間点に接続され、前記中間点からグランドへの電圧が、前記三点スイッチングコンポーネントのスイッチング電圧を提供する、請求項１０に記載の方法。
【請求項１５】
前記周波数依存回路は、負荷キャパシタと直列に抵抗を有し、該抵抗は、前記検出器の出力に接続され、前記キャパシタは、前記抵抗とグランドとに接続され、前記三点スイッチングコンポーネントの前記第３の点は、前記抵抗と前記負荷キャパシタとの間の接続点に接続され、前記抵抗及び前記負荷キャパシタは、前記検出器に入射する電磁放射線の低周波変動の影響を抑圧するために選択される、請求項１４に記載の方法。
【請求項１６】
前記三点スイッチングコンポーネントは電界効果トランジスタを有する、請求項１４に記載の方法。
【発明の詳細な説明】
【背景技術】
【０００１】
これらの教示は、概して、例えばレーザー誘導爆弾などの使い捨て軍需物資に使用されるレーザースポット追跡器であるセミアクティブレーザー（ＳＡＬ）受信器に関する。
【０００２】
典型的なＳＡＬ受信器は、短レーザーパルスリターンに追従するために、アナログ−デジタル変換器（ＡＤＣ）を用いて、高速に各ピクセルからの信号を連続的にデジタル化し、そして、デジタル処理を用いて、関心あるレーザーパルスに関して各ピクセルによって見られる波形を調べる。このアーキテクチャは、アレイサイズを約２×２に制限する。典型的なＳＡＬ受信器は、２×２ピクセルの“象限（クワドラント）”光検出器を用いて、レーザースポットに対するＳＡＬ受信器及び爆弾のアライメントについての情報を提供する。これらのシステムに伴う１つの問題は、２×２ピクセルアレイがセンサの分解能及び視野（ＦＯＶ）を制限することである。一部のシステムは、ジンバル（機械的パンニング機構）を付加することによってこの制限を部分的に解消するが、これは、使い捨て軍需物資に使用されるので安価でなければならないものであるＳＡＬ受信器に、大きいコストを追加してしまう。既存のＳＡＬ受信器は、短レーザーパルスリターンに追従するために、アナログ−デジタル変換器（ＡＤＣ）を用いて、高速（典型的に１００ＭＨｚ付近）に各ピクセルからの信号を連続的にデジタル化し、そして、デジタル処理を用いて、関心あるレーザーパルスに関して各ピクセルによって見られる波形を調べているので、アレイサイズを２×２よりも大幅に大きくすることができない。例えば３２×３２＝１０２４ピクセルといった、より大きいアレイサイズを使用することは、１０２４個のＡＤＣ回路と１０２４個のデジタル信号処理チャネルとを必要とすることになり、それは、電力、サイズ、及びコストに関して法外なものとなる。
【０００３】
既存のＳＡＬシステムの更なる１つの問題は、それらが、目の損傷を引き起こすものであるとともに隠されたものではない（何故なら、イメージ増強管を含む大抵の現行ＥＯセンサが、この波長を見ることができ、それ故に、レーザー照射器の位置を導出することができるからである）１．０６ミクロンのレーザー波長を使用することである。さらに、既存のＳＡＬシステムは、センサのＦＯＶ内に太陽があるときに、有意な性能低下を経験し得る。
【０００４】
コスト及びサイズの制約を超えることなく大きい焦点面（フォーカルプレーン）アレイを使用することができるＳＡＬ受信器設計が望まれる。
【０００５】
さらには、目に安全なレーザーの使用を可能にすることができるＳＡＬ受信器設計が望まれる。
【発明の概要】
【０００６】
コスト及びサイズの制約を超えることなく大きいフォーカルプレーンアレイを使用することができるとともに、目に安全なレーザーの使用を可能にすることができる受信器設計が、以下ここに開示される。
【０００７】
１つ以上の実施形態において、複数のピクセルを有する焦点面アレイからの読み出しのための、これらの教示に係る読み出し回路は、上記焦点面アレイ内の各１ピクセルに対して、該１ピクセル用の検出器に結合された適応光検出器負荷回路であり、当該適応光検出器負荷回路は、三点スイッチングコンポーネントと並列に周波数依存回路を有し、上記三点スイッチングコンポーネントの第３の点が、上記周波数依存回路の中間点に接続され、上記中間点からグランドへの電圧が、上記三点スイッチングコンポーネントのスイッチング電圧を提供する、適応光検出器負荷回路と、トランスインピーダンス増幅器であり、当該トランスインピーダンス増幅器に上記検出器がＡＣ結合される、トランスインピーダンス増幅器と、上記トランスインピーダンス増幅器のＡＣ結合出力を受信し、該ＡＣ結合出力を所定の閾値と比較する比較器コンポーネントと、並列接続された複数の電荷蓄積コンポーネントを含むサンプルホールドリングであり、各１つの電荷蓄積コンポーネントが、イネーブリング三点スイッチングコンポーネントと直列にキャパシタを含み、上記イネーブリング三点スイッチングコンポーネントの第３の点が、リングイネーブル信号を受信し、所定の電荷蓄積コンポーネントが、バッファ増幅器を介して上記トランスインピーダンス増幅器の上記ＡＣ結合出力に接続され、上記イネーブリング三点スイッチングコンポーネントは、上記バッファ増幅器の出力と上記キャパシタとの間に接続され、上記キャパシタは、読み出しバッファ増幅器及び読み出し三点スイッチングコンポーネントによって出力データラインに接続され、上記読み出し三点スイッチングコンポーネントの第３の点が、読み出しイネーブリング信号を受け取る、サンプルホールドリングと、上記比較器コンポーネントの出力を受け取るパルス検出ロジック回路であり、当該パルス検出ロジック回路は、上記ＡＣ結合出力が上記所定の閾値以下であるときに、上記リングイネーブル信号を上記所定の電荷蓄積コンポーネントに提供するように構成され、且つ、上記ＡＣ結合出力が上記所定の閾値よりも大きいときに、所定時間だけ遅延させ、該所定時間の遅延後に、上記所定の電荷蓄積コンポーネントに提供される上記リングイネーブル信号をディセーブルするように構成される、パルス検出ロジック回路とを含む。上記リングイネーブル信号がディセーブルされた後に、読み出しイネーブリング信号が提供され、各所定の電荷蓄積コンポーネントの上記キャパシタ内の電荷が、上記出力データラインに多重化出力され、別の所定時間の後、上記各所定の電荷蓄積コンポーネントの上記キャパシタに蓄積された上記電荷を多重化出力した後に、上記リングイネーブル信号がリングイネーブルにリセットされる。
【０００８】
１つ以上の実施形態において、複数のピクセルを有する焦点面アレイからの読み出しのための、これらの教示に係る方法は、上記焦点面アレイ内の各１ピクセルに対して、該１ピクセル用の検出器に適応光検出器負荷回路を結合し、該適応光検出器負荷回路は、上記検出器に入射する低周波変動の影響を抑圧するように構成され、上記検出器にトランスインピーダンス増幅器をＡＣ結合し、上記トランスインピーダンス増幅器のＡＣ結合出力を、バッファ増幅器を介して、サンプルホールドリング内の所定のキャパシタに提供し、該所定のキャパシタへの接続がイネーブルされ、上記トランスインピーダンス増幅器の全ての上記ＡＣ結合出力を所定の閾値と比較し、上記トランスインピーダンス増幅器の上記ＡＣ結合出力が上記所定の閾値よりも大きいときに、所定時間の遅延後に、上記所定のキャパシタへの接続をディセーブルし、読み出しイネーブリング信号の受信を受けて、上記所定のキャパシタ内の電荷を出力データに多重化出力することを含む。
【０００９】
多数の他の実施形態も開示される。
【００１０】
本教示の、その更なる他の目的とともにの、より十分な理解のために、添付の図面及び詳細な説明を参照し、その範囲を、添付の請求項にて指摘する。
【図面の簡単な説明】
【００１１】
【図１】これらの教示に従った、焦点面アレイの１つのピクセルに関する回路の概略図である。
【発明を実施するための形態】
【００１２】
以下の詳細な説明は、本発明を実行することの現時において企図されるモードを提示するものである。この説明は、単に発明の一般原理を例示する目的で作成されたものであり、本発明の範囲は添付の請求項によって最良に規定されるものであるので、この説明は限定的な意味でとられるべきでない。
【００１３】
ここで使用されるとき、単数形“ａ”、“ａｎ”、及び“ｔｈｅ”は、文脈が別のことを明確に述べていない限り、複数参照を含むものである。
【００１４】
特段の断りがある場合を除いて、明細書及び特許請求の範囲で使用される成分量及び反応条件などを表す全ての数字は、全ての場合に用語“約”によって修飾されているとして理解されるべきである。
【００１５】
コスト及びサイズの制約を超えることなく大きいフォーカルプレーンアレイを使用することができるとともに、目に安全なレーザーの使用を可能にすることができるＳＡＬ受信器設計が、以下ここに開示される。
【００１６】
１つ以上の実施形態において、複数のピクセルを有する焦点面アレイからの読み出しのための、これらの教示に係る読み出し回路は、上記焦点面アレイ内の各１ピクセルに対して、該１ピクセル用の検出器に結合された適応光検出器負荷回路であり、当該適応光検出器負荷回路は、三点スイッチングコンポーネントと並列に周波数依存回路を有し、上記三点スイッチングコンポーネントの第３の点が、上記周波数依存回路の中間点に接続され、上記中間点からグランドへの電圧が、上記三点スイッチングコンポーネントのスイッチング電圧を提供する、適応光検出器負荷回路と、トランスインピーダンス増幅器であり、当該トランスインピーダンス増幅器に上記検出器がＡＣ結合される、トランスインピーダンス増幅器と、上記トランスインピーダンス増幅器のＡＣ結合出力を受信し、該ＡＣ結合出力を所定の閾値と比較する比較器コンポーネントと、並列接続された複数の電荷蓄積コンポーネントを含むサンプルホールドリングであり、各１つの電荷蓄積コンポーネントが、イネーブリング三点スイッチングコンポーネントと直列にキャパシタを含み、上記イネーブリング三点スイッチングコンポーネントの第３の点が、リングイネーブル信号を受信し、所定の電荷蓄積コンポーネントが、バッファ増幅器を介して上記トランスインピーダンス増幅器の上記ＡＣ結合出力に接続され、上記イネーブリング三点スイッチングコンポーネントは、上記バッファ増幅器の出力と上記キャパシタとの間に接続され、上記キャパシタは、読み出しバッファ増幅器及び読み出し三点スイッチングコンポーネントによって出力データラインに接続され、上記読み出し三点スイッチングコンポーネントの第３の点が、読み出しイネーブリング信号を受け取る、サンプルホールドリングと、上記比較器コンポーネントの出力を受け取るパルス検出ロジック回路であり、当該パルス検出ロジック回路は、上記ＡＣ結合出力が上記所定の閾値以下であるときに、上記リングイネーブル信号を上記所定の電荷蓄積コンポーネントに提供するように構成され、且つ、上記ＡＣ結合出力が上記所定の閾値よりも大きいときに、所定時間だけ遅延させ、該所定時間の遅延後に、上記所定の電荷蓄積コンポーネントに提供される上記リングイネーブル信号をディセーブルするように構成される、パルス検出ロジック回路とを含む。上記リングイネーブル信号がディセーブルされた後に、読み出しイネーブリング信号が提供され、各所定の電荷蓄積コンポーネントの上記キャパシタ内の電荷が、上記出力データラインに多重化出力され、別の所定時間の後、上記各所定の電荷蓄積コンポーネントの上記キャパシタに蓄積された上記電荷を多重化出力した後に、上記リングイネーブル信号がリングイネーブルにリセットされる。
【００１７】
図１は、これらの教示の一実施形態に従った、焦点面アレイの１つのピクセルに関する回路の概略図を示している。これらの教示の限定のためではなく単なる例示のためにここで使用されるものである１つの例示的な実施形態において、焦点面アレイは、３２×３２のピクセルアレイである。これらの教示の限定ではなく、単に例示の目的で、１００ＭＨｚのレーザー波形サンプリングが使用される。アレイ内のピクセルの各々が、この実施形態において、図１に示すような回路を有する。図１に示す実施形態において、このピクセル用の検出器に適応光検出器負荷回路１５が結合されている。適応光検出器負荷回路１５は、三点スイッチングコンポーネントＭ１と並列に周波数依存回路２５を有している。三点スイッチングコンポーネントＭ１の第３の点が、周波数依存回路２５の中間点に接続され、中間点からグランドへの電圧が、この三点スイッチングコンポーネントのスイッチング電圧を提供する。一例において、周波数依存回路２５は、負荷キャパシタＣ１と直列に抵抗Ｒ１を有し、抵抗Ｒ１は検出器出力に接続され、負荷キャパシタＣ１は、抵抗Ｒ１とグランドとに接続される。三点スイッチングコンポーネントＭ１の第３の点は、抵抗Ｒ１と負荷キャパシタＣ１との間の接続点に接続される。抵抗Ｒ１及び負荷キャパシタＣ１は、検出器に入射する電磁放射線の低周波変動の影響を抑圧するために選択される。一例において、三点スイッチングコンポーネントＭ１は電界効果トランジスタである。
【００１８】
図１に示されるように、検出器はトランスインピーダンス増幅器３５にＡＣ結合される。一例において、トランスインピーダンス増幅器３５の帰還素子３０は電流−電圧変換抵抗Ｒ２である。他の一例において、トランスインピーダンス増幅器３５の帰還素子３０は、ダイオード又はトランジスタの何れかである。比較器コンポーネント４０が、ＡＣ結合されたトランスインピーダンス増幅器の出力を受け取り、このＡＣ結合出力を所定の閾値と比較する。一例において、比較器コンポーネント４０はまた、この１ピクセルに関して固有のオフセット調整を受け取る。図１には、並列接続された多数の電荷蓄積コンポーネントを有するサンプルホールドリング５５も示されており、各１つの電荷蓄積コンポーネントが、イネーブリング三点スイッチングコンポーネント６２と直列にキャパシタ６０を含んでいる。イネーブリング三点スイッチングコンポーネント６２は、バッファ増幅器３７の出力とキャパシタ６０との間に接続されており、イネーブリング三点スイッチングコンポーネント６２の第３の点がリングイネーブル信号を受け取ると、所定の電荷蓄積コンポーネントが、バッファ増幅器３７を介して、トランスインピーダンス増幅器３５のＡＣ結合された出力に接続される。読み出し三点スイッチングコンポーネント６７の第３の点が読み出しイネーブリング信号を受け取ると、読み出しバッファ増幅器及び読み出し三点スイッチングコンポーネント６７によってキャパシタ６０が出力データラインに接続される。一例において、イネーブリング三点スイッチングコンポーネント６２及び読み出し三点スイッチングコンポーネント６７の各々が、電界効果トランジスタである。
【００１９】
図１に示す実施形態はまた、比較器コンポーネント４０の出力を受け取るパルス検出ロジック回路４５を含んでいる。パルス検出ロジック回路４５は、上記ＡＣ結合出力が所定の閾値以下であるときには、所定の電荷蓄積コンポーネントにリングイネーブル信号を提供するように構成され、また、上記ＡＣ結合出力が所定の閾値よりも大きいときには、所定時間だけ遅延させ、該所定時間の遅延後に、所定の電荷蓄積コンポーネントに提供されたリングイネーブル信号をディセーブルにするように構成される。（一例において、パルス検出ロジック回路４５は、その機能を規定するは高水準ソフトウェアコードから合成される（自動生成される）。）リングイネーブル信号がディセーブルされた後、読み出しイネーブリング信号が提供され、各所定の電荷蓄積コンポーネントのキャパシタ６０内の電荷が、出力データラインに多重化出力される。別の所定時間後、各所定の電荷蓄積コンポーネントのキャパシタに蓄積された電荷を多重化出力した後、リングイネーブル信号がリングイネーブルにリセットされる。サンプル／ホールド信号を読み出すために順次にイネーブルされるものである読み出しイネーブリング信号“ＲｅａｄｏｕｔＳＨ”は、通常、ピクセルの外側にある“カラムアドレス”回路内に置かれる。（一実施形態において、ピクセル内部のデジタルロジック内に置くことも考えられるが、それは好ましくない。何故なら、それがピクセル内に存在する必要はなく、そうすることはピクセル内で追加の領域を占有することになり、画素領域が制限されてしまうからである。）読み出しイネーブリング信号“ＲｅａｄｏｕｔＳＨ”は、ピクセルのロウ及びカラムを順次にアドレス指定するロウアドレス回路及びカラムアドレス回路とともに使用され、この回路も通常、ピクセル（焦点面アレイ）の外側にある“ロウアドレス”回路及び“カラムアドレス”回路内に置かれることになる。
【００２０】
図１に示す実施形態には、また、この１ピクセルに対し、この１ピクセルにおけるパルスの到着時間を提供するグローバルカウンタタイムベースコードを記録するように構成された到着時間記録コンポーネント６５も含まれている。到着時間記録コンポーネント６５に記録されたグローバルカウンタタイムベースコードは、所定の電荷蓄積コンポーネント各々のキャパシタ内の電荷が多重化出力されるときに読み出される。所定の電荷蓄積コンポーネント各々のキャパシタ６０に蓄積された電荷を多重化出力した後に、グローバルタイムベースカウンタがリセットされる。
【００２１】
パルスが到着するのをこのセンサが待っている時間の大部分で、“パルス検出ロジック”が“ＲｉｎｇＥｎａｂｌｅ（リングイネーブル）”をイネーブル状態に保ち、サンプル／ホールドリングが循環的に（図示した例示実施形態では１００ＭＨｚで）連続的に装荷（ロード）されて、それが信号振幅の近時記憶を提供し、データが読み出されたりＡＤＣ変換されたりはしない。十分に大きいパルスが到着して比較器の閾値を超えると、“パルス検出ロジック”が、（完全なパルス形状を捕捉するために）追加の数サンプル／ホールドインターバル（図示した例示実施形態では１０ｎｓ（＝１／１００ＭＨｚ））だけ待ち、次いで、“ＲｉｎｇＥｎａｂｌｅ”をディセーブルし、サンプル／ホールドリングに保持されたデータをフリーズさせる。
【００２２】
一例において、各１ピクセル用の検出器は、１．０６μｍ又は約１．５μｍのうちの少なくとも一方にある放射線に応答する。
【００２３】
１つ以上の実施形態において、複数のピクセルを有する焦点面アレイからの読み出しのための、これらの教示に係る方法は、上記焦点面アレイ内の各１ピクセルに対して、該１ピクセル用の検出器に適応光検出器負荷回路を結合し、該適応光検出器負荷回路は、上記検出器に入射する低周波変動の影響を抑圧するように構成され、上記検出器にトランスインピーダンス増幅器をＡＣ結合し、上記トランスインピーダンス増幅器のＡＣ結合出力を、バッファ増幅器を介して、サンプルホールドリング内の所定のキャパシタに提供し、該所定のキャパシタへの接続がイネーブルされ、上記トランスインピーダンス増幅器の全ての上記ＡＣ結合出力を所定の閾値と比較し、上記トランスインピーダンス増幅器の上記ＡＣ結合出力が上記所定の閾値よりも大きいときに、所定時間の遅延後に、上記所定のキャパシタへの接続をディセーブルし、読み出しイネーブリング信号の受信を受けて、上記所定のキャパシタ内の電荷を出力データに多重化出力することを含む。
【００２４】
一例において、これらの教示に係る方法はまた、各１ピクセルに対し、該１ピクセルにおけるパルスの到着時間を記録し、該到着時間は、グローバルタイムベースカウンタからのコードから取得され、上記所定のキャパシタ内の電荷が多重化出力された後に、グローバルタイムベースカウンタをリセットすることを含む。
【００２５】
他の一例において、これらの教示に係る方法はまた、その１ピクセルに関する閾値オフセット調整によって上記所定の閾値を調整することを含む。
【００２６】
本教示を説明して定める目的のために言及しておくことには、用語“実質的に”は、ここでは、何らかの量的な比較、値、測定、又はその他の表現に起因し得る不確かさの生来的程度を表すために使用されている。用語“実質的に”はまた、ここでは、量的な表現が、問題としている事項の基本的な機能の変化をもたらすことなく、述べられた基準から異なり得る程度を表すために使用されている。
【００２７】
なお、これらの教示に係る読み出し回路の実施形態を、レーザー受信器に関して記述してきたが、広範囲の電磁源に関するこれらの教示に係る読み出し回路の使用が、これらの教示の範囲内にある。
【００２８】
これらの教示を様々な実施形態に関して記述してきたが、認識されるべきことには、これらの教示はまた、添付の請求項の精神及び範囲の中で、多様な更なるその他の実施形態も可能なものである。
【図１】
2019504586.tif 000003
【国際調査報告】
2019504586.tif 000004
2019504586.tif 000005
2019504586.tif 000006